【手続補正書】
【提出日】平成16年4月15日(2004.4.15)
【手続補正１】
【補正対象書類名】明細書
【補正対象項目名】特許請求の範囲
【補正方法】変更
【補正の内容】
【特許請求の範囲】
【請求項１】  通信システムにおいて、
情報源と、
放送ロケーションに配置され、前記情報源と結合された位置送受信装置であって、前記位置送受信装置が配置されている放送エリアの範囲内に在る前記情報源から、前記情報源と関連する識別情報を含む情報を放送する位置送受信装置と、
第１及び第２の送受信装置を具備する、前記放送エリアの範囲内に在る移動端末であって、前記第１の送受信装置は前記位置送受信装置と交信し、前記第２の送受信装置はネットワークと交信するような移動端末と、
を備えており、前記識別情報は、前記情報源の対応するデータと関連づけられた前記位置送受信装置の場所を特定するポインタであることを特徴とする通信システム。
【請求項２】  請求項１に記載の通信システムにおいて、前記識別情報が、放送ロケーションの地理上の位置に依拠する情報を有することを特徴とする通信システム。
【請求項３】  請求項２に記載の通信システムにおいて、前記識別情報が地理座標を有することを特徴とする通信システム。
【請求項４】  請求項３に記載の通信システムにおいて、前記識別情報が前記放送ロケーションの標高をさらに有することを特徴とする通信システム。
【請求項５】  請求項３に記載の通信システムにおいて、前記識別情報が前記放送ロケーションのアドレスを有することを特徴とする通信システム。
【請求項６】  請求項５に記載の通信システムにおいて、前記アドレスが番地であることを特徴とする通信システム。
【請求項７】  請求項６に記載の通信システムにおいて、前記識別情報が前記番地の範囲内の場所をさらに画定することを特徴とする通信システム。
【請求項８】  請求項１に記載の通信システムにおいて、前記識別情報が、前記第２の送受信装置への前記送信情報を格納するデータベースの対応するデータと関連づけられた、前記位置送受信装置の場所を特定するポインタであることを特徴とする通信システム。
【請求項９】  請求項１に記載の通信システムにおいて、前記位置送受信装置から放送される前記識別情報が、前記識別情報と関連づけられた情報のアドレスであるユニフォーム・リソース・ロケータを含むことを特徴とする通信システム。
【請求項１０】  請求項１に記載の通信システムにおいて、前記放送ロケーションが、
複数の情報源と、
前記複数の情報源のなかの異なる情報源とそれぞれ結合された、前記放送ロケーションに配置されている複数の位置送受信装置であって、前記放送ロケーションから得られる前記情報源の中の１つに関連する識別情報を含む情報を放送する各位置送受信装置と、
前記複数の位置送受信装置の各々によって放送された情報に関連する情報を表示する表示部と、
前記移動端末からデータベースへの前記ネットワークの送信による、少なくとも前記識別情報のデータベースによる受信に応じて、前記複数の位置送受信装置の前記識別情報と関連づけられた、前記第２の送受信装置へ送信される情報を格納するデータベースと、
を備えることを特徴とする通信システム。
【請求項１１】  請求項１０に記載の通信システムにおいて、前記複数の位置送受信装置の各々から放送される前記識別情報が、前記ネットワーク内の前記データベースの中で前記識別情報と関連づけられた情報のアドレスであるユニフォーム・リソース・ロケータを含むことを特徴とする通信システム。
【請求項１２】  請求項１０に記載の通信システムにおいて、前記複数の位置送受信装置の各々から放送される前記情報がウエブページを含むことを特徴とする通信システム。
【請求項１３】  請求項１０に記載の通信システムにおいて、前記複数の位置送受信装置の各々から放送される前記情報が、前記移動端末内のプロセッサによって実行されるアプリケーション・ソフトウエアを含むことを特徴とする通信システム。
【請求項１４】  請求項１３に記載の通信システムにおいて、前記アプリケーション・ソフトウエアが、ウインドウを開くためのアプリケーション・プログラムを有することを特徴とする通信システム。
【請求項１５】  請求項１３に記載の通信システムにおいて、前記アプリケーション・ソフトウエアが、前記識別情報によって識別される、前記データベースに格納された前記情報をサーチするウエブ・ブラウザを有することを特徴とする通信システム。
【請求項１６】  請求項１に記載の通信システムにおいて、前記情報が暗号化されることを特徴とする通信システム。
【請求項１７】  請求項１６に記載の通信システムにおいて、前記情報は、前記移動端末からデータベースへ送信され、該送信は、前記情報が前記位置送受信装置から前記移動端末へ送信された日時を示すタイム・スタンプを用いて移動端末ユーザーによって署名され、前記ユーザーの現在の所在位置を示して、前記ユーザーが存在すべき場所に前記ユーザーが存在することのデータベースによる検証を可能にし、
前記データベースが署名の有効性をチェックし、前記ネットワークから受信した前記暗号化情報を解読し、タイム・スタンプの有効性と、前記タイム・スタンプと署名とが有効であるか否かをチェックし、前記データベースが、前記ネットワークを介して、前記第２の送受信装置へ前記識別情報と関連づけられた格納情報を送信することを特徴とする通信システム。
【請求項１８】  請求項１０に記載の通信システムにおいて、前記放送ロケーションの前記複数の位置送受信装置が、前記複数の位置送受信装置が動かされたとき、前記情報の放送を中止することを特徴とする通信システム。
【請求項１９】  請求項１８に記載の通信システムにおいて、前記放送ロケーションが、前記複数の位置送受信装置が動かされた時点を検知し、前記複数の位置送受信装置の動きが検知されたとき、前記情報の送信を不能にする装置を含むことを特徴とする通信システム。
【請求項２０】  請求項１に記載の通信システムにおいて、前記位置送受信装置が、限定範囲ＲＦ搬送波を用いて前記情報を放送することを特徴とする通信システム。
【請求項２１】  請求項１に記載の通信システムにおいて、前記位置送受信装置が赤外線搬送波を用いて前記情報を放送することを特徴とする通信システム。
【請求項２２】  請求項１０に記載の通信システムにおいて、前記放送ロケーションが、前記複数の位置送信機が動かされた時点を検知する装置を含み、
前記複数の情報送受信装置が動かされたことを前記装置が検知したとき、前記複数の位置送受信装置がエラー表示を送信することを特徴とする通信システム。
【請求項２３】  請求項１に記載の通信システムにおいて、前記放送された情報が広告を含むことを特徴とする通信システム。
【請求項２４】  請求項１に記載の通信システムにおいて、前記放送された情報が緊急呼出しを含むことを特徴とする通信システム。
【請求項２５】  請求項１に記載の通信システムにおいて、前記放送された情報が、移動端末ユーザーが第１の場所から第２の場所へ移動することを可能にするサービスを提供する情報を含むことを特徴とする通信システム。
【請求項２６】  請求項１に記載の通信システムにおいて、前記放送された情報が、前記ネットワーク内のどこに前記移動端末が位置するかについての較正を示すことを特徴とする通信システム。
【請求項２７】  請求項１に記載の通信システムにおいて、前記放送された情報が前記ネットワークの位置の較正を示すことを特徴とする通信システム。
【請求項２８】  請求項１に記載の通信システムにおいて、ユーザーが前記放送ロケーションの近傍に居るとき、前記放送された情報が移動端末ユーザーにとって利用可能なサービスに関するものであることを特徴とする通信システム。
【請求項２９】  請求項１に記載の通信システムにおいて、前記ユーザーが前記放送ロケーションの近傍に居るときにのみ、前記放送された情報が移動端末ユーザーにとって利用可能な通信サービスに関するものであることを特徴とする通信システム。
【請求項３０】  請求項１に記載の通信システムにおいて、前記放送された情報が、商品やサービスの価格や、移動端末ユーザーが前記商品やサービスの購入を望む場合の送金の指示に関するものであり、
前記移動端末がデータベースへ前記商品やサービスの購入の支払いを送信することを特徴とする通信システム。
【請求項３１】  請求項３０に記載の通信システムにおいて、前記支払いの確認応答が前記位置送信機へ送信され、
前記位置送受信装置が前記移動端末へ前記支払いの確認応答を送信することを特徴とする通信システム。
【請求項３２】  請求項３１に記載の通信システムにおいて、前記移動端末への前記支払いの確認応答の送信によって、前記移動端末ユーザーが前記購入商品やサービスへのアクセスを行うことが可能となることを特徴とする通信システム。
【請求項３３】  情報源と、前記情報源と結合され、放送ロケーション内に配置される位置送受信装置と、第１及び第２の送受信装置を具備する放送エリアの範囲内の移動端末であって、前記第１の送受信装置は前記位置送受信装置と交信し、前記第２の送受信装置はネットワークと交信するような移動端末とを含むような通信システムにおいてデータを送信する方法において、
前記放送エリア内の前記第１の送受信装置へ前記情報源と関連する識別情報を含む情報を前記位置送受信装置を用いて放送するステップと、
前記第２の送受信装置から前記ネットワークへ少なくとも前記識別情報を送信するステップと、
を含み、前記識別情報は、前記情報源の対応するデータと関連づけられた前記位置送受信装置の場所を特定するポインタであり、
更に、少なくとも前記識別情報の前記ネットワークによる受信に応じて、前記ネットワークから前記第２の送受信装置へ、前記識別情報と関連づけられた格納情報を送信するステップを含むことを特徴とする方法。
【請求項３４】  請求項３３に記載の方法において、前記識別情報が地理座標を有することを特徴とする方法。
【請求項３５】  請求項３４に記載の方法において、前記識別情報が前記放送ロケーションの標高をさらに有することを特徴とする方法。
【請求項３６】  請求項３５に記載の方法において、前記識別情報が前記放送ロケーションの番地を有することを特徴とする方法。
【請求項３７】  請求項３６に記載の方法において、前記識別情報が前記番地の範囲内の場所をさらに画定することを特徴とする方法。
【請求項３８】  請求項３３に記載の方法において、前記識別情報が、前記第２の送受信装置への前記送信情報を格納する前記データベースの対応するデータと関連づけられた、前記位置送受信装置の場所を識別するポインタであることを特徴とする方法。
【請求項３９】  請求項３３に記載の方法において、前記放送ロケーションが複数の情報源と、前記複数の情報源のなかの異なる情報源とそれぞれ結合された、前記放送ロケーションに配置されている複数の位置送受信装置であって、前記情報源の中の１つに関連する識別情報を含む情報を前記放送ロケーションから放送する各位置送受信装置と、
前記複数の位置送受信装置の各々によって放送された情報に関連する情報を表示する表示部と、を有し、
前記複数の位置送受信装置の前記識別情報と関連づけられた、データベースに格納された情報が、前記移動端末から前記データベースへの前記ネットワークによる送信による、少なくとも前記識別情報の前記データベースによる受信に応じて前記第２の送受信装置へ送信されることを特徴とする方法。
【請求項４０】  請求項３３に記載の方法において、前記位置送受信装置から放送された前記識別情報が、前記ネットワーク内の前記データベースの中で前記識別情報と関連づけられた情報のアドレスであるユニフォーム・リソース・ロケータを含むことを特徴とする方法。
【請求項４１】  請求項３９に記載の方法において、前記複数の位置送受信装置の各々から放送される前記識別情報が、前記ネットワーク内の前記データベースの中で前記識別情報と関連づけられた情報のアドレスであるユニフォーム・リソース・ロケータを含むことを特徴とする方法。
【請求項４２】  請求項３９に記載の方法において、前記複数の位置送受信装置の各々から放送される前記情報がウエブページを含むことを特徴とする方法。
【請求項４３】  請求項３９に記載の方法において、前記複数の位置送受信装置の各々から放送される前記情報が、前記移動端末内のプロセッサによって実行されるアプリケーション・ソフトウエアを含むことを特徴とする方法。
【請求項４４】  請求項４３に記載の方法において、前記アプリケーション・ソフトウエアが、ウインドウを開くためのアプリケーション・プログラムを有することを特徴とする方法。
【請求項４５】  請求項４３に記載の方法において、前記アプリケーション・ソフトウエアが、前記識別情報によって識別される、前記データベースに格納された前記情報をサーチするウエブ・ブラウザを有することを特徴とする方法。
【請求項４６】  請求項３３に記載の方法において、前記情報が暗号化されることを特徴とする方法。
【請求項４７】  請求項４６に記載の方法において、前記情報は、前記第２の送受信装置からデータベースへ送信され、該送信は、秘密鍵を用いて移動端末ユーザーによって署名され、前記位置送受信装置から前記移動端末へ前記情報が送信された日時を示すタイム・スタンプを含み、
前記データベースが、署名の有効性をチェックし、前記ネットワークから受信した前記情報を解読し、タイム・スタンプの有効性と、前記タイム・スタンプと署名とが有効であるか否かをチェックし、前記データベースが、前記ネットワークを介して、前記識別情報と関連づけられた格納情報を前記第２の送受信装置へ送信することを特徴とする方法。
【請求項４８】  請求項３９に記載の方法において、前記複数の情報送受信装置が動かされたとき、前記放送ロケーションの前記複数の位置送受信装置が前記情報の放送を中止することを特徴とする方法。
【請求項４９】  請求項４８に記載の方法において、前記放送ロケーションが、前記複数の位置送受信装置が動かされた時点を検知し、動きが検知されたとき、前記情報の送信を不能にする装置を含むことを特徴とする方法。
【請求項５０】  請求項３３に記載の方法において、前記位置送受信装置が限定範囲ＲＦ搬送波を用いて前記情報を放送することを特徴とする方法。
【請求項５１】  請求項３３に記載の方法において、前記位置送受信装置が限定範囲赤外線搬送波を用いて前記情報を放送することを特徴とする方法。
【請求項５２】  請求項３３に記載の方法において、前記ネットワークがセルラー電話ネットワークとＩＰネットワークとを有することを特徴とする方法。
【請求項５３】  請求項３３に記載の方法において、前記複数の位置送信機が動かされた時点を前記放送ロケーションが検知する装置を含み、
前記複数の情報送受信装置が動かされたことを前記装置が検知したとき、前記複数の位置送受信装置がエラー表示を送信することを特徴とする方法。
【請求項５４】  請求項３３に記載の方法において、前記放送された情報が広告を含むことを特徴とする方法。
【請求項５５】  請求項３３に記載の方法において、前記放送された情報が緊急呼出しを含むことを特徴とする方法。
【請求項５６】  請求項３３に記載の方法において、前記放送された情報が、移動端末ユーザーが第１の場所から第２の場所へ移動するサービスを提供する情報を含むことを特徴とする方法。
【請求項５７】  請求項３３に記載の方法において、前記放送された情報が前記ネットワーク内のどこに前記移動端末が位置するかについて較正を示すことを特徴とする方法。
【請求項５８】  請求項３３に記載の方法において、前記放送された情報が前記ネットワークの較正を示すことを特徴とする方法。
【請求項５９】  請求項３３に記載の方法において、前記放送された情報が前記ネットワークによる位置決定の較正を示すことを特徴とする方法。
【請求項６０】  請求項３３に記載の方法において、前記ユーザーが前記放送ロケーションの近傍に居るとき、前記放送された情報が移動端末ユーザーにとって利用可能なサービスに関するものであることを特徴とする方法。
【請求項６１】  請求項３３に記載の方法において、前記ユーザーが前記放送ロケーションの近傍に居るときにのみ、前記放送された情報が移動端末ユーザーにとって利用可能な通信サービスに関するものであることを特徴とする方法。
【請求項６２】  請求項３３に記載の方法において、前記放送された情報が、商品やサービスの価格や、移動端末ユーザーが前記商品やサービスの購入を望む場合の送金の指示に関するものであり、
前記移動端末が前記商品やサービスの購入の支払いをデータベースへ送信することを特徴とする方法。
【請求項６３】  請求項６２に記載の方法において、前記支払いの確認応答が前記位置送信機へ送信され、
前記送受信装置が前記移動端末へ前記支払いの確認応答を送信することを特徴とする方法。
【請求項６４】  請求項６３に記載の方法において、前記移動端末への前記支払いの確認応答の送信によって、前記移動端末ユーザーが前記購入商品やサービスへのアクセスを行うことが可能になることを特徴とする方法。
【請求項６５】  請求項３３に記載の方法において、前記位置送受信装置を用いて放送された前記情報が連続して放送されることを特徴とする方法。
【請求項６６】  請求項３３に記載の方法において、前記位置送受信装置を用いて放送された前記情報が、前記位置送信機の起動時に前記移動端末ユーザーによって放送されることを特徴とする方法。
【請求項６７】  請求項３３に記載の方法において、前記位置送信機の近傍に移動端末ユーザーの存在が検知されたとき、前記位置送受信装置の検知によって放送された情報が放送されることを特徴とする方法。